(57)【要約】【課題】暗号操作による特定階への運転制限解除により特定階に運転中に第三者がかご内に乗り込んできた場合にも防犯上良好なエレベーターの呼び制御装置を提供する。【解決手段】呼び登録制限切替スイッチの常閉接点による特定階への運転制限解除により特定階へ運転中にも特定階への運転を制限できるようにする。また、第三者がいない場合には行先階操作釦１Ｃ〜４Ｃや開閉釦ＯＰＥＮの操作の組み合わせにより特定階への運転制限解除を行なえるようにする。【選択図】        図１
2004331262.tif 000002
【特許請求の範囲】
【請求項１】
特定階への運転を制限する特定階運転制限機能と、乗りかご内に行先階を選択する手段と乗りかご扉の開閉を操作する手段を装備して、行先階操作釦や開閉釦の操作の組み合わせにより特定階への運転制限を解除できるようにしたエレベーターの呼び制御装置において、前記特定階運転制限機能を解除して乗りかごが特定階への運転を開始後においても前記解除を無効とする機能を設けたことを特徴とするエレベーターの呼び制御装置。
【請求項２】
特定階への運転を制限する特定階運転制限機能と、乗りかご内に行先階を選択する手段と乗りかご扉の開閉を操作する手段を装備して、行先階操作釦や開閉釦の操作の組み合わせにより特定階への運転制限を解除できるようにしたエレベーターの呼び制御装置において、前記特定階運転制限機能を解除した場合、乗りかごを特定階に向けて走行を開始するとともに、特定階の手前の階床に停止させる機能を設けたことを特徴とする請求項１記載のエレベーターの呼び制御装置。
【発明の詳細な説明】
【０００１】
【発明の属する技術分野】
本発明はエレベーターの呼び制御装置に関する。
【０００２】
【従来の技術】
最近はテナントビル等でのセキュリティー確保や病院等での安全確保のために、エレベーターの運転を制限するケースが多く、その手段としてはキースイッチやＩＣカード等が用いられることが多い。キーやカードの持ち歩きの不便さにより行先階釦の暗号操作による制限解除を用いることが増えてきている。
【０００３】
ところが、行先階釦の暗号操作はかご内に乗り合わせた第三者に覚えられる危険性が伴う。このような問題点に対処するため、従来は、行先階釦と乗場釦の操作の組み合わせにより制限を解除することが提案されている（例えば、特許文献１参照。）。
【０００４】
【特許文献１】
特開平５−２６２４６４号公報
（段落番号００１２−００１５、第１図）
【０００５】
【発明が解決しようとする課題】
前記従来技術では、暗号操作により特定階への運転制限の解除を行なった後、途中階で第三者が乗り込んできた場合、特定階への運転制限機能を復活させることができず、第三者と乗り合わせながら特定階に到着してしまう恐れがあり、防犯上の問題が完全には解決されていなかった。
【０００６】
本発明は、特定階への運転制限機能を解除して特定階に向けて運転中に途中階で第三者がかご内に乗り込んできた場合でも第三者が特定階まで同乗することを防止できるエレベーターの呼び制御装置を提供することにある。
【０００７】
【課題を解決するための手段】
上記目的を達成するため本発明は、特定階への運転を制限する特定階運転制限機能と、乗りかご内に行先階を選択する手段と乗りかご扉の開閉を操作する手段を装備して、行先階操作釦や開閉釦の操作の組み合わせにより特定階への運転制限を解除できるようにしたエレベーターの呼び制御装置において、前記特定階運転制限機能を解除して乗りかごが特定階への運転を開始後においても前記解除を無効とする機能を設けたことを特徴とする。
【０００８】
【発明の実施の形態】
以下、本発明の一実施形態を図１により説明する。
【０００９】
図１は本発明の一実施形態の動作を説明する回路図である。
【００１０】
尚、以下の説明では、４階床で４階の行先階呼び登録を制限した場合について説明する。
【００１１】
１Ｃ〜４Ｃはかご内行先階釦であり、それぞれ押圧することにより行先階呼び登録リレー１ＣＲ〜４ＣＲがそれぞれ付勢する。例えば、２階行先呼びは前記行先階釦２Ｃを押圧すれば、Ｐ−前記釦２Ｃ−前記リレー２ＣＲ−Ｎの回路が形成され前記行先階登録リレー２ＣＲが付勢する。４階の行先階呼び登録リレー４ＣＲの回路には、図示しない呼び登録制限切替スイッチを投入したとき開路する常閉接点ＣＵＴ１が接続され、前記切替スイッチを投入すると前記４階行先階釦４Ｃを押圧しても、Ｐ−前記釦４Ｃ−前記常閉接点ＣＵＴ１−前記リレー４ＣＲ−Ｎの回路が形成されないために前記リレー４ＣＲは付勢されることはなく、４階の呼び登録は行なわれない。暗号検出開路ＣＡＮには前記行先階釦１Ｃ〜４Ｃが接続されており、任意の釦押圧を所定の順序で行なうなど所定操作を行ない、その暗号が正規であれば図示しない常開接点が閉路し、かご内の位置表示器が特定階である４階を示したとき（かごが３階と４階の間にあるとき）に開路し、これ以外では閉路する常閉接点４ＦＬが閉路しているとき暗号成立確認用リレーＣＡＮＲが付勢する。このリレーＣＡＮＲは特定階である４階に到着して常閉接点４ＦＬが開路するまで付勢が継続する。
【００１２】
ＣＡＮＲ１〜ＣＡＮＲ２は前記暗号成立確認用リレーＣＡＮＲが付勢したとき閉路する常開接点である。暗号が成立後にかご内の位置表示器が３階を示すと常開接点３ＦＬが閉路し、このときかご内開釦を押圧すると前記開釦を押している間閉路する常開接点ＯＰＥＮが閉路するため、Ｐ−ＣＡＮＲ２−３ＦＬ−ＯＰＥＮ−特定階運転制限解除リレーＡＮＯＫ−Ｎの回路が形成され、前記制限解除リレーＡＮＯＫが付勢する。また、ＡＮＯＫ１〜ＡＮＯＫ２は前記制限解除リレーＡＮＯＫが付勢すると閉路する常開接点で、一旦前記制限解除リレーＡＮＯＫが付勢すると前記開釦から指を離しても、Ｐ−前記常開接点ＣＡＮＲ２−ＡＮＯＫ２−ＡＮＯＫ−Ｎの回路により、前記暗号成立確認用リレーＣＡＮＲが消勢するまで前記制限解除リレーＡＮＯＫは付勢しつづける。前記４階かご呼び登録リレー４ＣＲには前述の行先階釦４Ｃからの回路の他に、一旦暗号が成立するとかご内の位置表示器が３階を示してから所定時間経過後に開路する常閉接点３ＦＬＤにより、エレベーターが３階に到達し所定時間経過するまでは、Ｐ−３ＦＬＤ−ＣＡＮＲ１−４ＣＲ−Ｎの経路により前記４階行先階登録リレー４ＣＲを付勢させる回路と、前記制限解除リレーＡＮＯＫが付勢したときに、Ｐ−ＡＮＯＫ１−ＣＡＮＲ１−４ＣＲ−Ｎの経路により前記４階行先階登録リレー４ＣＲを付勢させる回路を備える。
【００１３】
ここで、前記４階行先呼び登録制限切替スイッチが投入された状態で、エレベーターが１階にいるときに前記行先階釦の所定操作による暗号操作を行ない、前記暗号検出回路ＣＡＮが正規な暗号であると認めると前記暗号成立確認用リレーＣＡＮＲが付勢する。このとき、Ｐ−３ＦＬＤ−ＣＡＮＲ１−４ＣＲ−Ｎの回路が形成され４階の行先階呼び登録リレー４ＣＲが付勢し、エレベーターは４階に向け走行開始する。
【００１４】
エレベーターが走行しつづけて、かご内の位置表示器が３階を示してから所定時間経過すると、前記常閉接点３ＦＬＤが開路するので、Ｐ−３ＦＬＤ−ＣＡＮＲ１−４ＣＲ−Ｎの回路の形成が消滅して前記４階の行先階呼び登録リレー４ＣＲが消勢する。これにより、エレベーターは行先呼びを失い最寄りの３階に停止する。
【００１５】
かご内の位置表示器が２階から３階に切り替わった時点で、すなわち、前記常開接点３ＦＬが閉路してから前記常閉接点３ＦＬＤが開路するまでの間にかご内の開釦を押圧すると、Ｐ−ＣＡＮＲ２−３ＦＬ−ＯＰＥＮ−ＡＮＯＫ−Ｎの回路が形成され前記制限解除リレーＡＮＯＫが付勢し、Ｐ−ＡＮＯＫ１−ＣＡＮＲ１−４ＣＲ−Ｎの回路により、前記４階行先階呼び登録リレー４ＣＲは付勢しつづける。また、Ｐ−ＣＡＮＲ２−ＡＮＯＫ２−ＡＮＯＫ−Ｎの回路によりＡＮＯＫも付勢しつづける。
【００１６】
エレベーターが走行しつづけて、かご内の位置表示器が４階を表示すると、前記常閉接点４ＦＬが開路することで前記暗号成立確認用リレーＣＡＮＲが消勢し、Ｐ−ＡＮＯＫ１−ＣＡＮＲ１−４ＣＲ−Ｎの回路形成が消滅し、前記行先階呼び登録リレー４ＣＲが消勢する。これにより、エレベーターは行先呼びを失い最寄りの４階に停止する。
【００１７】
このように、本実施形態ではエレベーターが特定階である４階に走行中でも、かご内の位置表示器が３階に切り替わった時点で運転制御を行なうことができる。また、このときかご内の開釦を押圧することで４階への運転制限を解除することができる。
【００１８】
【発明の効果】
本発明によれば、特定階への運転制御解除により特定階へ運転中にも特定階への運転を制限と行先階操作釦や開閉釦の操作の組み合わせによる運転制限解除を行なえるようにすれば、特定階に運転中に第三者がかご内に乗り込んできた場合にも防犯上良好なエレベーターの呼び制御装置を提供することができる。
【図面の簡単な説明】
【図１】本発明の一実施形態の動作を説明する回路図である。
【符号の説明】
１Ｃ〜４Ｃ  行先階釦
１ＣＲ〜４ＣＲ  行先階呼び登録リレー
ＣＵＴ１  呼び登録制限切替スイッチの常閉接点
ＣＡＮＲ  暗号成立確認用リレー
ＡＮＯＫ  特定階運転制限解除リレー
ＯＰＥＮ  常開接点
ＣＡＮ  暗号検出回路
【図１】
2004331262.tif 000003